【手続補正書】
【提出日】平成19年8月28日(2007.8.28)
【手続補正１】
【補正対象書類名】明細書
【補正対象項目名】特許請求の範囲
【補正方法】変更
【補正の内容】
【特許請求の範囲】
【請求項１】  優先的に波紋スキャンを行うべき特定画像部分である波紋発生位置(波紋(0))の情報をスキャンするための波紋スキャン開始手段と、
前記波紋発生位置を取り囲む四角形状のリング形態である次の波紋スキャン位置(波紋(1))を決定し、その前に処理した四角形状のリングを取り囲む四角形状のリング形態である次の波紋スキャン位置(波紋(i))を決定するための波紋スキャン位置決定手段と、
該波紋スキャン位置決定手段で決定された波紋スキャン位置の情報をスキャンするための波紋スキャン手段と
を備えたことを特徴とする波紋スキャン装置。
【請求項２】  前記波紋発生位置は、既に決定されていることを特徴とする請求項１に記載の波紋スキャン装置。
【請求項３】  前記既に決定された波紋発生位置は、画像フレームの中央部であることを特徴とする請求項２に記載の波紋スキャン装置。
【請求項４】  前記波紋発生位置（波紋（0））を決定するための波紋発生位置決定手段をさらに備えたことを特徴とする請求項１に記載の波紋スキャン装置。
【請求項５】  前記決定された波紋(i)の位置は、
波紋発生位置からx軸にＩほど離れた位置にあり、ｙ軸に±iより小さい位置に該当するすべての位置(1-1:x-iであり、(y-i<y<y+i)であるすべての位置)と、
波紋発生位置からx軸に+Iほど離れた位置にあり、y軸には±iより小さい位置に該当するすべての位置（(1-2：x+iであり、(y-i<y<y+i)であるすべての位置)と、
波紋発生位置からy軸にIほど離れた位置にあり、x軸には±iより小さい位置に該当するすべての位置(2-1：y-i であり、(x-i<x<x+i)であるすべての位置)と、
波紋発生位置からy軸に+Iほど離れた位置にあり、x軸には±iより小さい位置に該当するすべての位置(2-2：y+iであり、(x-i<x<x+i)であるすべての位置)と、
波紋発生位置からx軸に±iほど、そしてy軸に±iほど離れた所のすべての位置(3-1の位置は(x-i、y-i)、3-2は(x+i、y-i)、3-3は(x-i、y+i)、3-4は(x+i、y+i)に該当する位置)と
を含むことを特徴とする請求項１に記載の波紋スキャン装置。
【請求項６】  前記波紋スキャン装置は、マクロブロック単位でデータを処理することを特徴とする請求項１に記載の波紋スキャン装置。
【請求項７】  前記波紋スキャン装置は、ブロック単位でデータを処理することを特徴とする請求項１に記載の波紋スキャン装置。
【請求項８】  前記波紋スキャン装置は、ピクセル単位でデータを処理することを特徴とする請求項１に記載の波紋スキャン装置。
【請求項９】  画像コーディングのための波紋スキャン装置において、
画像フレーム内で優先的にコーディングして伝送すべき特定画像部分である波紋発生位置のデータからコーディングを行うための波紋発生位置データコーディング手段と、
前記波紋発生位置からi番目に発生した波紋(i)の位置を決定して該当位置のデータをコーディングするための波紋位置決定及びデータコーディング手段と、
前記画像フレーム内のすべてのデータがコーディングされるまで波紋の位置決定と該当画像データのコーディングを繰り返し行うようにする反復遂行如何決定手段と
を備えたことを特徴とする波紋スキャン装置。
【請求項１０】  前記波紋発生位置は、既に決定されていることを特徴とする請求項９に記載の波紋スキャン装置。
【請求項１１】  前記既決定された波紋発生位置は、画像フレームの中央部であることを特徴とする請求項１０に記載の波紋スキャン装置。
【請求項１２】  前記波紋発生位置(波紋(0))を決定するための波紋発生位置決定手段をさらに備えたことを特徴とする請求項９に記載の波紋スキャン装置。
【請求項１３】  画像デコーディングのための波紋スキャン装置において、
画像フレーム内で優先的にデコーディングすべき特定画像部分である波紋発生位置のデータからデコーディングを行うための波紋発生位置データデコーディング手段と、
前記波紋発生位置からi番目に発生した波紋(i)の位置を決定して該当位置のデータをデコーディングするための波紋位置決定及びデータデコーディング手段と、
前記画像フレーム内のすべてのデータがデコーディングされるまで波紋の位置決定と該当画像データのデコーディングを繰り返し行うようにする反復遂行如何決定手段と
を備えたことを特徴とする波紋スキャン装置。
【請求項１４】  前記波紋発生位置は、既に決定されていることを特徴とする請求項１３に記載の波紋スキャン装置。
【請求項１５】  前記既に決定された波紋発生位置は、画像フレームの中央部であることを特徴とする請求項１４に記載の波紋スキャン装置。
【請求項１６】  前記波紋発生位置(波紋(0))を決定するための波紋発生位置決定手段をさらに備えたことを特徴とする請求項１３に記載の波紋スキャン装置。
【請求項１７】  波紋スキャン装置に適用される波紋スキャン方法において、
優先的に波紋スキャンを行うべき特定画像部分である波紋発生位置(波紋(0))から波紋スキャンを始める第１段階と、
前記波紋発生位置に四角形状のリングを取り囲む形態で次の波紋スキャン位置(波紋(1))を決定して波紋スキャンを行う第２段階と、
四角形状のリングを、その前に処理した四角形状のリングを取り囲む形態で次の波紋スキャン位置(波紋(i))を決定して波紋スキャンを行う過程をすべてのデータに対して行う第３段階と
を有することを特徴とする波紋スキャン方法。
【請求項１８】  前記波紋発生位置は、既に決定されていることを特徴とする請求項１７に記載の波紋スキャン方法。
【請求項１９】  前記既に決定された波紋発生位置は、画像フレームの中央部であることを特徴とする請求項１８に記載の波紋スキャン方法。
【請求項２０】  前記波紋発生位置(波紋(0))を決定する第４段階をさらに有することを特徴とする請求項１７に記載の波紋スキャン方法。
【請求項２１】  前記決定された波紋(i）の位置は、
波紋発生位置からx軸に-Iほど離れた位置にあり、y軸に±iより小さい位置に該当するすべての位置(1-1：x-i であり、(y-i<y<y+i)であるすべての位置)と、
波紋発生位置からx軸に+Iほど離れた位置にあり、y軸には±iより小さい位置に該当するすべての位置(1-2：x+iであり、(y-i<y<y+i)であるすべての位置)と、
波紋発生位置からy軸に-Iほど離れた位置にあり、x軸には±iより小さい位置に該当するすべての位置(2-1：y-i であり、(x-i<x<x+i)であるすべての位置)と、
波紋発生位置からy軸に+Iほど離れた位置にあり、x軸には±iより小さい位置に該当するすべての位置(2-2：y+i であり、(x-i<x<x+i)であるすべての位置)と、
波紋発生位置からx軸に±iほど、そしてy軸に±iほど離れた所のすべての位置(3-1の位置は(x-i、y-i)、3-2は(x+i、y-i)、3-3は(x-i、y+i)、3-4は(x+i、y+i)に該当する位置)と
を含むことを特徴とする請求項１７に記載の波紋スキャン方法。
【請求項２２】  前記波紋スキャン方法は、マクロブロック単位でデータを処理することを特徴とする請求項１７に記載の波紋スキャン方法。
【請求項２３】  前記波紋スキャン方法は、ブロック単位でデータを処理することを特徴とする請求項１７に記載の波紋スキャン方法。
【請求項２４】  前記波紋スキャン方法は、ピクセル単位でデータを処理することを特徴とする請求項１７に記載の波紋スキャン方法。
【請求項２５】  画像コーディングのための波紋スキャン装置に適用される波紋スキャン方法において、
画像フレーム内で優先的にコーディングして伝送するべき特定画像部分である波紋発生位置のデータからコーディングを行う第１段階と、
すべてのデータに対してコーディングを行ったか否かを判断する第２段階と、
該第２段階の判断結果、すべてのデータをコーディングしたら、終了し、そうではなかったら、次の波紋位置を決定して該当位置のデータをコーディングする過程をすべてのデータに対して繰り返し行う第３段階と
を有することを特徴とする波紋スキャン方法。
【請求項２６】  前記波紋発生位置は、既に決定されていることを特徴とする請求項２５に記載の波紋スキャン方法。
【請求項２７】  前記既に決定された波紋発生位置は、画像フレームの中央部であることを特徴とする請求項２６に記載の波紋スキャン方法。
【請求項２８】  前記波紋発生位置(波紋(0))を決定する第４段階をさらに有することを特徴とする請求項２５に記載の波紋スキャン方法。
【請求項２９】  画像デコーディングのための波紋スキャン装置に適用される波紋スキャン方法において、
画像フレーム内で優先的にデコーディングすべき特定画像部分である波紋発生位置のデータからデコーディングを行う第１段階と、
すべてのデータに対してデコーディングを行ったか否かを判断する第２段階と、
該第２段階の判断結果、すべてのデータをデコーディングしたら、終了し、そうではなかったら、次の波紋位置を決定して該当位置のデータをデコーディングする過程をすべてのデータに対して繰り返し行う第３段階と
を有することを特徴とする波紋スキャン方法。
【請求項３０】  前記波紋発生位置は、既に決定されていることを特徴とする請求項２９に記載の波紋スキャン方法。
【請求項３１】  前記既に決定された波紋発生位置は、画像フレームの中央部であるを特徴とする請求項３０に記載の波紋スキャン方法。
【請求項３２】  前記波紋発生位置(波紋(0))を決定する第４段階をさらに有することを特徴とする請求項２９に記載の波紋スキャン方法。
【請求項３３】  波紋スキャン装置を用いたスケーラブル画像デコーディング装置において、
画像に対して基本階層デコーディングを行って、画像を復元するための基本階層デコーディング手段と、
前記画像のフレーム内で優先的にデコーディングすべき特定画像部分である波紋発生位置から強化階層デコーディングを行って、画像を復元するための強化階層デコーディング手段と
を備えたことを特徴とするスケーラブル画像デコーディング装置。
【請求項３４】  前記波紋発生位置は、コーディング装置と前記デコーディング装置との間に既に決定されていることを特徴とする請求項３３に記載のスケーラブル画像デコーディング装置。
【請求項３５】  既に決定された波紋発生位置は、前記画像フレームの中央部であることを特徴とする請求項３４に記載のスケーラブル画像デコーディング装置。
【請求項３６】  前記波紋発生位置は、前記画像フレーム内で優先的にデコーディングすべき特定画像部分を波紋発生位置に決定することを特徴とする請求項３３に記載のスケーラブル画像デコーディング装置。
【請求項３７】  波紋スキャン装置を用いたスケーラブル画像デコーディング装置に適用されるスケーラブル画像デコーディング方法において、
画像に対して基本階層デコーディングを行って、画像を復元する第１段階と、
前記画像のフレーム内で優先的にデコーディングすべき特定画像部分である波紋発生位置から強化階層デコーディングを行って画像を復元する第２段階と
を有することを特徴とするスケーラブル画像デコーディング方法。
【請求項３８】  前記波紋発生位置は、コーディング装置と前記デコーディング装置との間に既に決定されていることを特徴とする請求項３７に記載のスケーラブル画像デコーディング方法。
【請求項３９】  既に決定された波紋発生位置は、前記画像フレームの中央部であることを特徴とする請求項３８に記載のスケーラブル画像デコーディング方法。
【請求項４０】  前記波紋発生位置は、前記画像フレーム内で優先的にデコーディングすべき特定画像部分を波紋発生位置に決定することを特徴とする請求項３７に記載のスケーラブル画像デコーディング方法。
【請求項４１】  波紋スキャン装置を用いたスケーラブル画像コーディング装置において、
入力画像に対して基本階層コーディングを行うための基本階層コーディング手段と、
前記波紋スキャン装置を用いて画像フレーム内で優先的にデコーディングすべき特定画像部分である波紋発生位置で強化階層コーディングを行うための強化階層コーディング手段と
を備えたことを特徴とするスケーラブル画像コーディング装置。
【請求項４２】  前記波紋発生位置は、前記コーディング装置とデコーディング装置との間に既に決定されていることを特徴とする請求項４１に記載のスケーラブル画像コーディング装置。
【請求項４３】  前記既に決定された波紋発生位置は、前記画像フレームの中央部であることを特徴とする請求項４２に記載のスケーラブル画像コーディング装置。
【請求項４４】  前記波紋発生位置は、前記画像フレーム内で優先的にデコーディングすべき特定の画像部分を波紋発生位置に決定することを特徴とする請求項４１に記載のスケーラブル画像コーディング装置。
【請求項４５】  波紋スキャン装置を用いたスケーラブル画像コーディング装置に適用するスケーラブル画像コーディング方法において、
入力画像に対して基本階層コーディングを行う第１段階と、
前記波紋スキャン装置を用いて画像フレーム内で優先的にデコーディングすべき特定の画像部分である波紋発生位置から強化階層コーディングを行う第２段階と
を有することを特徴とするスケーラブル画像コーディング方法。
【請求項４６】  前記波紋発生位置は、前記コーディング装置とデコーディング装置との間に既に決定されていることを特徴とする請求項４５に記載のスケーラブル画像コーディング方法。
【請求項４７】  前記既に決定された波紋発生位置は、前記画像フレームの中央部であることを特徴とする請求項４６に記載のスケーラブル画像コーディング方法。
【請求項４８】  前記波紋発生位置は、前記画像フレーム内で優先的にデコーディングすべき特定画像部分を波紋発生位置に決定することを特徴とする請求項４５に記載のスケーラブル画像コーディング方法。
【手続補正２】
【補正対象書類名】明細書
【補正対象項目名】００４５
【補正方法】変更
【補正の内容】
【００４５】
【課題を解決するための手段】
前記目的を達成するための本発明の装置は、波紋スキャン装置において、優先的に波紋スキャンを行うべき特定画像部分である波紋発生位置(波紋(0))の情報をスキャンするための波紋スキャン開始手段と、前記波紋発生位置を取り囲む四角形状のリング形態である次の波紋スキャン位置(波紋(1))を決定し、その前に処理した四角形状のリングを取り囲む四角形状のリング形態である次の波紋スキャン位置(波紋(i))を決定するための波紋スキャン位置決定手段と、前記波紋スキャン位置決定手段で決定された波紋スキャン位置の情報をスキャンするための波紋スキャン手段とを含む。
【手続補正３】
【補正対象書類名】明細書
【補正対象項目名】００４６
【補正方法】変更
【補正の内容】
【００４６】
また、本発明の他の装置は、画像コーディングのための波紋スキャン装置において、画像フレーム内で優先的にコーディングして伝送すべき特定画像部分である波紋発生位置のデータからコーディングを行うための波紋発生位置データコーディング手段と、前記波紋発生位置からi番目に発生した波紋(i)の位置を決定して該当位置のデータをコーディングするための波紋位置決定及びデータコーディング手段と、前記画像フレーム内のすべてのデータがコーディングされるまで波紋の位置決定と該当画像データのコーディングを繰り返し行うようにする反復遂行如何決定手段とを含む。
【手続補正４】
【補正対象書類名】明細書
【補正対象項目名】００４７
【補正方法】変更
【補正の内容】
【００４７】
また、本発明の他の装置は、画像デコーディングのための波紋スキャン装置において、画像フレーム内で優先的にデコーディングすべき特定画像部分である波紋発生位置のデータからデコーディングを行うための波紋発生位置データデコーディング手段と、前記波紋発生位置からi番目に発生した波紋(i)の位置を決定して該当位置のデータをデコーディングするための波紋位置決定及びデータデコーディング手段と、前記画像フレーム内のすべてのデータがデコーディングされるまで波紋の位置決定と該当画像データのデコーディングを繰り返し行うようにする反復遂行如何決定手段とを含む。
【手続補正５】
【補正対象書類名】明細書
【補正対象項目名】００４９
【補正方法】変更
【補正の内容】
【００４９】
一方、本発明の方法は、波紋スキャン装置に適用される波紋スキャン方法において、優先的に波紋スキャンを行うべき特定画像部分である波紋発生位置(波紋(0))から波紋スキャンを開始する第１段階と、前記波紋発生位置に四角形状のリングを取り囲む形態で次の波紋スキャン位置(波紋(1))を決定して波紋スキャンを行う第２段階と、四角形状のリングを、その前に処理した四角形状のリングを取り囲む形態で次の波紋スキャン位置(波紋(i))を決定して波紋スキャンを行う過程をすべてのデータに対して行う第３段階とを含む。
【手続補正６】
【補正対象書類名】明細書
【補正対象項目名】００５０
【補正方法】変更
【補正の内容】
【００５０】
また、本発明の他の方法は、画像コーディングのための波紋スキャン装置に適用される波紋スキャン方法において、画像フレーム内で優先的にコーディングして伝送するべき特定画像部分である波紋発生位置のデータからコーディングを行う第１段階と、すべてのデータに対してコーディングを行ったか否かを判断する第２段階と、前記第２段階の判断結果、すべてのデータをコーディングしたら、終了し、そうではなかったら、次の波紋位置を決定して該当位置のデータをコーディングする過程をすべてのデータに対して繰り返し行う第３段階とを含む。
【手続補正７】
【補正対象書類名】明細書
【補正対象項目名】００５１
【補正方法】変更
【補正の内容】
【００５１】
また、本発明の他の方法は、画像デコーディングのための波紋スキャン装置に適用される波紋スキャン方法において、画像フレーム内で優先的にデコーディングすべき特定画像部分である波紋発生位置のデータからデコーディングを行う第１段階と、すべてのデータに対してデコーディングを行ったか否かを判断する第２段階と、前記第２段階の判断結果、すべてのデータをデコーディングしたら、終了し、そうではなかったら、次の波紋位置を決定して該当位置のデータをデコーディングする過程をすべてのデータに対して繰り返し行う第３段階とを含む。
【手続補正８】
【補正対象書類名】明細書
【補正対象項目名】００５３
【補正方法】変更
【補正の内容】
【００５３】
一方、本発明は、プロセッサを備えた波紋スキャン装置に、優先的に波紋スキャンを行うべき特定画像部分である波紋発生位置(波紋(0))から波紋スキャンを開始する第１機能と、前記波紋発生位置に四角形状のリングを取り囲む形態で次の波紋スキャン位置(波紋(1))を決定して波紋スキャンを行う第２機能と、四角形状のリングを、その前に処理した四角形状のリングを取り囲む形態で次の波紋スキャン位置(波紋(i))を決定して波紋スキャンを行う過程をすべてのデータに対して行う第３機能とを実現させるためのプログラムを記録したコンピュータで読み出すことができる記録媒体を提供する。
【手続補正９】
【補正対象書類名】明細書
【補正対象項目名】００５４
【補正方法】変更
【補正の内容】
【００５４】
また、本発明は、プロセッサを備えた波紋スキャン装置に、画像フレーム内で優先的にコーディングして伝送すべき特定画像部分である波紋発生位置のデータからコーディングを行う第１機能と、すべてのデータに対してコーディングを行ったか否かを判断する第２機能と、前記第２機能での判断結果、すべてのデータをコーディングしたら、終了し、そうではなかったら、次の波紋位置を決定して該当位置のデータをコーディングする過程をすべてのデータに対して繰り返し行う第３機能とを実現させるためのプログラムを記録したコンピュータで読み出すことができる記録媒体を提供する。
【手続補正１０】
【補正対象書類名】明細書
【補正対象項目名】００５５
【補正方法】変更
【補正の内容】
【００５５】
また、本発明は、プロセッサを備えた波紋スキャン装置に、画像フレーム内で優先的にデコーディングすべき特定画像部分である波紋発生位置のデータからデコーディングを行う第１機能と、すべてのデータに対してデコーディングを行ったか否かを判断する第２機能と、前記第２機能での判断結果、すべてのデータをデコーディングしたら、終了し、そうではなかったら、次の波紋位置を決定して該当位置のデータをデコーディングする過程をすべてのデータに対して繰り返し行う第３機能とを実現させるためのプログラムを記録したコンピュータで読み出すことができる記録媒体を提供する。
【手続補正１１】
【補正対象書類名】明細書
【補正対象項目名】００５７
【補正方法】変更
【補正の内容】
【００５７】
一方、前記他の目的を達成するための本発明の装置は、波紋スキャン装置を用いた画像コーディング/デコーディング装置において、前記波紋スキャン装置を用いて画像フレーム内で優先的にデコーディングすべき特定画像部分である波紋発生位置から始まってすべてのデータに対して波紋を発生させるための第１波紋発生手段と、前記第１波紋発生手段で発生した波紋位置によるデータをコーディングして前記デコーディング装置側に伝達するためのコーディング手段と、前記第１波紋発生手段で発生した波紋位置によって、前記画像フレーム内で優先的にデコーディングすべき特定画像部分である波紋発生位置から始まって受信されたデータに対して波紋を発生させるための第２波紋発生手段と、前記第２波紋発生手段で発生した波紋位置によるデータをデコーディングするためのデコーディング手段とを含むことを特徴とする。
【手続補正１２】
【補正対象書類名】明細書
【補正対象項目名】００５８
【補正方法】変更
【補正の内容】
【００５８】
また、前記本発明の装置は、前記画像フレーム内で優先的にデコーディングすべき特定画像部分を波紋発生位置に決定して前記デコーディング装置側に伝達する第１波紋発生位置決定手段と、前記コーディング装置側の前記第１波紋発生位置決定手段から伝送された波紋発生位置によって前記画像フレーム内の波紋発生位置を決定するための第２波紋発生位置決定手段とをさらに含むことを特徴とする。
【手続補正１３】
【補正対象書類名】明細書
【補正対象項目名】００５９
【補正方法】変更
【補正の内容】
【００５９】
また、本発明の方法は、波紋スキャン装置を用いた画像コーディング/デコーディング装置に適用される画像コーディング/デコーディング方法において、前記波紋スキャン装置を用いて画像フレーム内で優先的にデコーディングすべき特定画像部分である波紋発生位置から始まってすべてのデータに対して順次波紋を発生させる第１段階と、前記第１段階で発生した波紋位置によるデータを順次コーディングして前記デコーディング装置側に伝達する第２段階と、前記第１段階で発生した波紋位置によって前記画像フレーム内で優先的にデコーディングすべき特定画像部分である波紋発生位置から始まって受信されたデータに対して順次波紋を発生させる第３段階と、前記第３段階で発生した波紋位置の受信データを順次デコーディングする第４段階とを含むことを特徴とする。
【手続補正１４】
【補正対象書類名】明細書
【補正対象項目名】００６０
【補正方法】変更
【補正の内容】
【００６０】
また、前記本発明の方法は、前記画像フレーム内で優先的にデコーディングすべき特定画像部分を波紋発生位置に決定して前記デコーディング装置側に伝達する第５段階と、前記コーディング装置側から伝送された波紋発生位置によって前記画像フレーム内の波紋発生位置を決定する第６段階とをさらに含むことを特徴とする。
【手続補正１５】
【補正対象書類名】明細書
【補正対象項目名】００６１
【補正方法】変更
【補正の内容】
【００６１】
また、本発明の他の装置は、波紋スキャン装置を用いたスケーラブル画像コーディング/デコーディング装置において、入力画像に対して既存と同様の方法で基本階層コーディングを行って、基本階層ビットストリームを前記デコーディング装置側に伝送するための基本階層コーディング手段と、前記波紋スキャン装置を用いて画像フレーム内で優先的にデコーディングすべき特定画像部分である波紋発生位置から強化階層コーディングを行って、強化ビットストリームを前記デコーディング装置側に伝送するための強化階層コーディング手段と、前記基本階層コーディング手段から基本階層ビットストリームを伝達されて既存と同様の方法で基本階層デコーディングを行って、画像を復元するための基本階層デコーディング手段と、前記強化階層コーディング手段から強化ビットストリームを伝達されて前記画像フレーム内で優先的にデコーディングすべき特定画像部分である波紋発生位置からデコーディングを行って、画像を復元するための強化階層デコーディング手段とを含むことを特徴とする。
【手続補正１６】
【補正対象書類名】明細書
【補正対象項目名】００６２
【補正方法】変更
【補正の内容】
【００６２】
また、本発明の他の方法は、波紋スキャン装置を用いたスケーラブル画像コーディング/デコーディング装置に適用されるスケーラブル画像コーディング/デコーディング方法において、入力画像に対して既存と同様の方法で基本階層コーディングを行って、基本階層ビットストリームを前記デコーディング装置側に伝送する第１段階と、前記波紋スキャン装置を用いて画像フレーム内で優先的にデコーディングすべき特定画像部分である波紋発生位置から強化階層コーディングを行って、強化ビットストリームを前記デコーディング装置側に伝送する第２段階と、前記基本階層コーディングされた基本階層ビットストリームを伝達されて既存と同様の方法で基本階層デコーディングを行って、画像を復元する第３段階と、前記強化階層コーディングされた強化ビットストリームを伝達されて前記画像フレーム内で優先的にデコーディングすべき特定画像部分である波紋発生位置からデコーディングを行って画像を復元する第４段階とを含むことを特徴とする。
【手続補正１７】
【補正対象書類名】明細書
【補正対象項目名】００６３
【補正方法】変更
【補正の内容】
【００６３】
また、本発明の他の装置は、波紋スキャン装置を用いた微細粒子スケーラブル画像コーディング/デコーディング装置において、入力画像に対して既存と同様の方法で基本階層コーディングを行って、基本階層ビットストリームを前記デコーディング装置側に伝送するための基本階層コーディング手段と、前記波紋スキャン装置を用いて画像フレーム内で優先的にデコーディングすべき特定画像部分である波紋発生位置から強化階層コーディングを行って、強化ビットストリームを前記デコーディング装置側に伝送するための強化階層コーディング手段と、前記基本階層コーディング手段から基本階層ビットストリームを伝達されて既存と同様の方法で基本階層デコーディングを行って、画像を復元するための基本階層デコーディング手段と、前記強化階層コーディング手段から強化ビットストリームを伝達されて前記画像フレーム内で優先的にデコーディングすべき特定画像部分である波紋発生位置からデコーディングを行って、画像を復元するための強化階層デコーディング手段とを含むことを特徴とする。
【手続補正１８】
【補正対象書類名】明細書
【補正対象項目名】００６４
【補正方法】変更
【補正の内容】
【００６４】
また、本発明の他の方法は、波紋スキャン装置を用いた微細粒子スケーラブル画像コーディング/デコーディング装置に適用される微細粒子スケーラブル画像コーディング/デコーディング方法において、入力画像に対して既存と同様の方法で基本階層コーディングを行って、基本階層ビットストリームを前記デコーディング装置側に伝送する第１段階と、前記波紋スキャン装置を用いて画像フレーム内で優先的にデコーディングすべき特定画像部分である波紋発生位置から強化階層コーディングを行って、強化ビットストリームを前記デコーディング装置側に伝送する第２段階と、前記基本階層コーディングされた基本階層ビットストリームを伝達されて既存と同様の方法で基本階層デコーディングを行って、画像を復元する第３段階と、前記強化階層コーディングされた強化ビットストリームを伝達されて、前記画像フレーム内で優先的にデコーディングすべき特定画像部分である波紋発生位置からデコーディングを行って、画像を復元する第４段階とを含むことを特徴とする。
【手続補正１９】
【補正対象書類名】明細書
【補正対象項目名】００６５
【補正方法】変更
【補正の内容】
【００６５】
一方、本発明は、プロセッサを備えた画像コーディング/デコーディング装置に、前記波紋スキャン装置を用いて画像フレーム内で優先的にデコーディングすべき特定画像部分である波紋発生位置から始まってすべてのデータに対して順次波紋を発生させる第１機能と、前記第１機能で発生した波紋位置によるデータを順次コーディングして前記デコーディング装置側に伝達する第２機能と、前記第１機能で発生した波紋位置によって前記画像フレーム内で優先的にデコーディングすべき特定画像部分である波紋発生位置から始まって受信されたデータに対して順次波紋を発生させる第３機能と、前記第３機能で発生した波紋位置の受信データを順次デコーディングする第４機能とを実現させるためのプログラムを記録したコンピュータで読み出すことができる記録媒体を提供する。
【手続補正２０】
【補正対象書類名】明細書
【補正対象項目名】００６６
【補正方法】変更
【補正の内容】
【００６６】
また、前記本発明は、前記画像フレーム内で優先的にデコーディングすべき特定画像部分を波紋発生位置に決定して前記デコーディング装置側に伝達する第５機能と、前記コーディング装置側から伝送された波紋発生位置によって前記画像フレーム内の波紋発生位置を決定する第６機能とをさらに実現させるためのプログラムを記録したコンピュータで読み出すことができる記録媒体を提供する。
【手続補正２１】
【補正対象書類名】明細書
【補正対象項目名】００６７
【補正方法】変更
【補正の内容】
【００６７】
また、本発明は、プロセッサを備えたスケーラブル画像コーディング/デコーディング装置に、入力画像に対して既存と同様の方法で基本階層コーディングを行って、基本階層ビットストリームを前記デコーディング装置側に伝送する第１機能と、前記波紋スキャン装置を用いて画像フレーム内で優先的にデコーディングすべき特定画像部分である波紋発生位置から強化階層コーディングを行って、強化ビットストリームを前記デコーディング装置側に伝送する第２機能と、前記基本階層コーディングされた基本階層ビットストリームを伝達されて既存と同様の方法で基本階層デコーディングを行って、画像を復元する第３機能と、前記強化階層コーディングされた強化ビットストリームを伝達されて前記画像フレーム内で優先的にデコーディングすべき特定画像部分である波紋発生位置からデコーディングを行って、画像を復元する第４機能とを実現させるためのプログラムを記録したコンピュータで読み出すことができる記録媒体を提供する。
【手続補正２２】
【補正対象書類名】明細書
【補正対象項目名】００６８
【補正方法】変更
【補正の内容】
【００６８】
また、本発明は、プロセッサを備えた微細粒子スケーラブル画像コーディング/デコーディング装置に、入力画像に対して既存と同様の方法で基本階層コーディングを行って、基本階層ビットストリームを前記デコーディング装置側に伝送する第１機能と、前記波紋スキャン装置を用いて画像フレーム内で優先的にデコーディングすべき特定画像部分である波紋発生位置から強化階層コーディングを行って、強化ビットストリームを前記デコーディング装置側に伝送する第２機能と、前記基本階層コーディングされた基本階層ビットストリームを伝達されて従来通りの方法で基本階層デコーディングを行って、画像を復元する第３機能と、前記強化階層コーディングされた強化ビットストリームを伝達されて、前記画像フレーム内で優先的にデコーディングすべき特定画像部分である波紋発生位置からデコーディングを行って、画像を復元する第4機能とを実現させるためのプログラムを記録したコンピュータで読み出すことができる記録媒体を提供する。
【手続補正２３】
【補正対象書類名】明細書
【補正対象項目名】００７４
【補正方法】変更
【補正の内容】
【００７４】
そして、本発明は人間の視覚システムに適するように視覚的に重要な特定画像部分の情報を優先的にエンコーディングを行い、受信端でも該当特定部分の画像情報を優先的にデコーディングするようにして、伝送線路の帯域幅(Bandwidth)の制約によって、それ以上エンコーダ端で伝送されたすべてのビットストリームを受信されない場合にも特定の重要部分の画質が保障できるようにすることを特徴とする。
波紋発生位置は、視覚的に重要な特定の画像部分となる可能性もあり、画面上の任意の部分が波紋の発生位置となっても良い。